(57)【要約】【課題】医療用ガーゼにおいて、Ｘ線造影糸を抜けにくくする。【解決手段】互いに交差する複数の経糸３及び緯糸５からなるガーゼ本体６に、経糸としてＸ線造影糸７及び固定糸９が織り込まれている。固定糸９は、Ｘ線造影糸７の左右方向一側において、Ｘ線造影糸７の裏側を横切る緯糸５Ｂの裏側を横切り、Ｘ線造影糸７の左右方向他側において、Ｘ線造影糸７に隣接する２本の経糸３Ａ，３Ｂの裏側を横切り、Ｘ線造影糸７の表側を横切る緯糸５Ａの表側を横切るようにガーゼ本体６に織込まれている。これにより、固定糸９がＸ線造影糸７、２本の経糸３Ａ，３Ｂ及び緯糸５Ａ，５Ｂと絡み合って、Ｘ線造影糸７をガーゼ本体６に強固に固定することができる。【選択図】図２
2016104085.tif 000002
【特許請求の範囲】
【請求項１】
互いに交差する複数の経糸及び緯糸を構成糸とするガーゼ本体に、少なくとも１本の経糸としてＸ線造影糸が織込まれた医療用ガーゼであって、
経糸として織り込まれて前記Ｘ線造影糸を前記ガーゼ本体に固定するための固定糸を有し、
前記固定糸は、前記Ｘ線造影糸の左右方向一側において、該Ｘ線造影糸の裏側を横切る緯糸の裏側を横切り、前記Ｘ線造影糸の左右方向他側において、該Ｘ線造影糸に隣接する偶数本の経糸の裏側を横切り、前記Ｘ線造影糸の表側を横切る緯糸の表側を横切ることを特徴とする医療用ガーゼ。
【請求項２】
前記Ｘ線造影糸に隣接する偶数本の経糸の本数は２本であることを特徴とする請求項１に記載の医療用ガーゼ。
【請求項３】
互いに交差する複数の経糸及び緯糸を構成糸とするガーゼ本体に、少なくとも１本の経糸としてＸ線造影糸が織込まれた医療用ガーゼであって、
経糸として織り込まれて前記Ｘ線造影糸を前記ガーゼ本体に固定するための固定糸を有し、
前記固定糸は、前記Ｘ線造影糸の左右方向一側において、前記Ｘ線造影糸に隣接する奇数本の前記経糸の表側を横切り、前記Ｘ線造影糸の表側を横切る緯糸の表側を横切り、前記Ｘ線造影糸の左右方向他側において、前記Ｘ線造影糸に隣接する奇数本の前記経糸の裏側を横切り、該Ｘ線造影糸の裏側を横切る緯糸の裏側を横切ることを特徴とする医療用ガーゼ。
【請求項４】
前記Ｘ線造影糸に隣接する奇数本の経糸の本数は１本であることを特徴とする請求項３に記載の医療用ガーゼ。
【発明の詳細な説明】
【技術分野】
【０００１】
本発明は、Ｘ線造影糸が織り込まれた医療用ガーゼに関するものである。
【背景技術】
【０００２】
医療用ガーゼは、手術等において、患者の体内で使用される場合、血液、体液等を吸収して、臓器、組織との区別がつきにくくなるため、体内に取り残さないように細心の注意が払われる。また、一般的にガーゼの繊維は、Ｘ線画像に写らないため、術後、体内に取り残されたガーゼの有無を確認することは困難であった。
【０００３】
そこで、従来、ガーゼにＸ線造影糸を織り込み、術後、Ｘ線撮影により、ガーゼの取り残しを容易に確認できるようにした医療用ガーゼが種々提案されている。
しかしながら、Ｘ線造影糸は、一般的にガーゼの構成糸（経糸及び緯糸）より大径であり、表面が滑らかに形成されているため、ピンセットで摘まれたりすると、ガーゼから抜け落ちてしまうという問題がある。
【０００４】
そこで、特許文献１には、経糸と緯糸とが交互に交差するよう平織りされたガーゼ本体に、Ｘ線造影糸が織り糸と互いにもじれながら織り込まれたガーゼが記載されている。このガーゼは、Ｘ線造影糸に織り糸が絡み付くことにより、Ｘ線造影糸がガーゼ本体に対して保持され、抜け難くなる。このように、Ｘ線造影糸をガーゼ本体から抜け難くしたガーゼが要求されている。同時に、生産性の観点から、Ｘ線造影糸をガーゼ本体に効率よく織り込むことが望まれている。
【先行技術文献】
【特許文献】
【０００５】
【特許文献１】特開２００２−１４３２１２号公報
【発明の概要】
【発明が解決しようとする課題】
【０００６】
本発明は、かかる点に鑑みてなされたものであり、Ｘ線造影糸をガーゼ本体から抜け難くすると共に、ガーゼ本体に効率よく織り込むことができる医療用ガーゼを提供することを目的とする。
【課題を解決するための手段】
【０００７】
上記の課題を解決するために、請求項１に係る医療用ガーゼは、互いに交差する複数の経糸及び緯糸を構成糸とするガーゼ本体に、少なくとも１本の経糸としてＸ線造影糸が織込まれた医療用ガーゼであって、
経糸として織り込まれて前記Ｘ線造影糸を前記ガーゼ本体に固定するための固定糸を有し、
前記固定糸は、前記Ｘ線造影糸の左右方向一側において、該Ｘ線造影糸の裏側を横切る緯糸の裏側を横切り、前記Ｘ線造影糸の左右方向他側において、該Ｘ線造影糸に隣接する偶数本の経糸の裏側を横切り、前記Ｘ線造影糸の表側を横切る緯糸の表側を横切ることを特徴とする。
請求項２に係る医療用ガーゼは、上記請求項１の構成において、前記Ｘ線造影糸に隣接する偶数本の経糸の本数は２本であることを特徴とする。
請求項３に係る医療用ガーゼは、互いに交差する複数の経糸及び緯糸を構成糸とするガーゼ本体に、少なくとも１本の経糸としてＸ線造影糸が織込まれた医療用ガーゼであって、
経糸として織り込まれて前記Ｘ線造影糸を前記ガーゼ本体に固定するための固定糸を有し、
前記固定糸は、前記Ｘ線造影糸の左右方向一側において、前記Ｘ線造影糸に隣接する奇数本の前記経糸の表側を横切り、前記Ｘ線造影糸の表側を横切る緯糸の表側を横切り、前記Ｘ線造影糸の左右方向他側において、前記Ｘ線造影糸に隣接する奇数本の前記経糸の裏側を横切り、該Ｘ線造影糸の裏側を横切る緯糸の裏側を横切ることを特徴とする。
請求項４に係る医療用ガーゼは、上記請求項３の構成において、前記Ｘ線造影糸に隣接する奇数本の経糸の本数は１本であることを特徴とする。
【発明の効果】
【０００８】
本発明によれば、Ｘ線造影糸をガーゼ本体から抜け難くすると共に、ガーゼ本体に効率よく織り込むことができる医療用ガーゼを提供することができる。
【図面の簡単な説明】
【０００９】
【図１】本発明の第１実施形態に係る医療用ガーゼの概略全体図である。
【図２】図１に示す医療用ガーゼの固定糸の織り込み状態を示す部分拡大図である。
【図３】本発明の第２実施形態に係る医療用ガーゼの固定糸の織り込み状態を示す部分拡大図である。
【図４】本発明の第３実施形態に係る医療用ガーゼの固定糸の織り込み状態を示す部分拡大図である。
【発明を実施するための形態】
【００１０】
以下、本発明の第１実施形態に係る医療用ガーゼを図１及び図２に基づいて詳細に説明する。
本発明の医療用ガーゼ１は、例えば、治療、外科手術等の医療行為に用いられ、体液や血液などを吸収させるために使用することができるものである。
図１及び図２に示すように、医療用ガーゼ１は、複数の経糸３と、複数の緯糸５と、Ｘ線造影糸７と、Ｘ線造影糸７を保持する固定糸９とを有する。複数の経糸３及び緯糸５は、医療用ガーゼ１のガーゼ本体６の構成糸として、交互に交差するように平織りされており、Ｘ線造影糸７及び固定糸９は、経糸としてガーゼ本体６に織り込まれている。
【００１１】
経糸３及び緯糸５は、略一定の間隔をもって交互に交差するように織り込まれており、その間隔は、任意であり、適宜変更することができる。経糸３及び緯糸５は、一例として太さ４０番手の綿糸を採用しているが、任意の太さとすることができ、また、綿糸に限らず、例えば、セルロース繊維、合成繊維、それらの混合体等の任意の材料を用いたものとすることができる。
【００１２】
経糸３の両端側（図１において上下両側）には、平織りした部分よりも緯糸５の間隔を密に織り込んだ緯糸密織り部１５，１５が形成されている。また、緯糸５の両端側（図１において左右両側）には、平織りした部分よりも経糸３の間隔を密に織り込んだ経糸密織り部１３，１３が形成されている。
【００１３】
医療用ガーゼ１は、縦横に連続して織られており、隣接する医療用ガーゼ１の緯糸密織り部１５，１５間、及び、経糸密織り部１３，１３間に緯糸５及び経糸３の間隔を疎にした部分１５Ａ，１３Ａが形成されている。このように連続して織られたものを部分１５Ａ，１３Ａで裁断して複数の医療用ガーゼ１を得る。
【００１４】
Ｘ線造影糸７は、他の経糸３と同様に複数の緯糸５と表裏交互に交差するように織り込まれている。Ｘ線造影糸７の材料としては、例えば、硫酸バリウム等のＸ線非透過性物質を含有する合成樹脂などを採用することができる。合成樹脂としては、例えば、シリコン系樹脂、ポリ塩化ビニル樹脂、ポリプロピレン樹脂、ポリエステル樹脂、ポリエチレン樹脂、スチレン系熱可塑性エラストマーなどを採用することができる。また、Ｘ線造影糸７の太さは、経糸３及び緯糸５と比較して太い。
【００１５】
固定糸９は、Ｘ線造影糸７が構成糸から抜け落ちないようにするためのものであり、ガーゼ本体６の構成糸である経糸３及び緯糸５と同じものが使用されている。なお、固定糸９は、経糸３及び緯糸５と同じものに限らず、例えば、経糸３及び緯糸５と異なる糸番手の綿糸、双糸などを採用して織り込むことができる。
【００１６】
ここで、図２を参照して、医療用ガーゼ１に織込まれたＸ線造影糸７及び固定糸９の織り込みパターンついて説明する。
Ｘ線造影糸７は、他の経糸３と同様、Ｘ線造影糸７の表側（図２の紙面の手前側、以下同じ）を横切る緯糸５Ａ及び裏側（図２の紙面の奥側、以下同じ）を横切る緯糸５Ｂと交互に交差するように織込まれている。固定糸９は、Ｘ線造影糸７の表側を横切り（位置Ｐ１参照）、Ｘ線造影糸７の左右方向一側（図２の紙面に向って左側、以下同じ）において、Ｘ線造影糸７の裏側を通る緯糸５Ｂの裏側を横切って折返され（位置Ｐ２参照）、Ｘ線造影糸７の表側を横切る（位置Ｐ３参照）。また、固定糸９は、Ｘ線造影糸７の左右方向他側（図２の向って右側、以下同じ）において、Ｘ線造影糸７に隣接する２本の経糸３Ａ，３Ｂの裏側を横切り（位置Ｐ４，Ｐ５参照）、Ｘ線造影糸７の表側を横切る緯糸５Ａの表側を横切って折返され（位置Ｐ６参照）、Ｘ線造影糸７に隣接する２本の経糸３Ｂ，３Ａの裏側を横切り（位置Ｐ７，Ｐ８参照）、Ｘ線造影糸７の表側を横切る（位置Ｐ９参照）。固定糸９は、このような織り込みパターンを繰り返しながらＸ線造影糸７及びこれに隣接する２本の経糸３Ａ，３Ｂと共に織込まれている。
【００１７】
このように、固定糸９は、Ｘ線造影糸７に対して、その表側のみを通って交差する（位置Ｐ１，Ｐ３，Ｐ９参照）。また、固定糸９は、Ｘ線造影糸７の裏側を横切る緯糸５Ｂとは、Ｘ線造影糸７の左右方向の一側においてのみ交差し（位置Ｐ２参照）、Ｘ線造影糸７の表側を横切る緯糸５Ａとは、Ｘ線造影糸７の左右方向他側においてのみ交差する（位置Ｐ６参照）。そして、Ｘ線造影糸７の左右方向他側において、緯糸５Ａの表側を横切る固定糸９（位置Ｐ６参照）は、その両側が隣接する経糸３Ｂの裏側を横切ることにより、緯糸５Ａに引掛り保持されている。
【００１８】
固定糸９は、このような織り込みパターンで織り込まれることにより、Ｘ線造影糸７、２本の経糸３Ａ，３Ｂ及び緯糸５Ａ，５Ｂと絡み合って、Ｘ線造影糸７を医療用ガーゼに対して強固に保持して、抜け難くすることができる。
【００１９】
固定糸９は、他の経糸３同様、自動織機（図示せず）の綜絖で保持し、適当なタイミングで固定糸９を保持する綜絖を左右に移動させて、Ｘ線造影糸７及び２本の経糸３Ａ，３Ｂに対する位置を適宜変化させることにより、上述の織り込みパターンで他の経糸と共に効率よく織り込むことができる。
【００２０】
次に、本発明の第２実施形態について、図３を参照して説明する。なお、以下の説明において、上記第１実施形態に対して、同様の部分には同じ参照符号を用いて、異なる部分についてのみ詳細に説明する。
【００２１】
図３に示すように、第２実施形態に係る医療用ガーゼ２０では、固定糸９は、Ｘ線造影糸７及びこれに隣接する４本の経糸３Ａ，３Ｂと共に織込まれている。この固定糸９は、上述第１実施形態と同じパターンで織り込まれており、Ｘ線造影糸７の左右方向他側において、Ｘ線造影糸７に隣接する４本の経糸３Ａ，３Ｂの裏側を横切っている。これにより、上記第１実施形態と同様の作用効果を奏することができる。
【００２２】
なお、Ｘ線造影糸７に隣接し、固定糸９が横切る経糸３Ａ，３Ｂは、６本以上とすることもでき、偶数本であればよい。
【００２３】
次に、本発明の第３実施形態について、図４を参照して説明する。なお、以下の説明において、上記第１実施形態に対して、同様の部分には同じ参照符号を用いて、異なる部分についてのみ詳細に説明する。
【００２４】
図４に示すように、第３実施形態に係る医療用ガーゼ３０は、図１及び図２に示す第１実施形態において、Ｘ線造影糸７と、これに隣接する経糸３Ａとを置き換えたものである。
【００２５】
図４を参照して、医療用ガーゼ３０に織込まれた固定糸９の織り込みパターンついて説明する。
固定糸９は、Ｘ線造影糸７の裏側を横切り（位置Ｐ１１参照）、Ｘ線造影糸７の左右方向一側（図４の向って左側、以下同じ）において、Ｘ線造影糸７に隣接する経糸３Ｃの表側を横切り（位置Ｐ１２参照）、Ｘ線造影糸７の表側を通る緯糸５Ａの裏側を横切って折返され（位置Ｐ１３参照）、Ｘ線造影糸７に隣接する経糸３Ｃの表側を横切り、Ｘ線造影糸７の裏側を横切る（位置Ｐ１４、Ｐ１５参照）。また、固定糸９は、Ｘ線造影糸７の左右方向他側（図４の向って右側、以下同じ）において、Ｘ線造影糸７に隣接する経糸３Ｄの裏側を横切り（位置Ｐ１６参照）、Ｘ線造影糸７の裏側を横切る緯糸５Ｂの表側を横切って折返され（位置Ｐ１７参照）、Ｘ線造影糸７に隣接する経糸３Ｄ及びＸ線造影糸７の裏側を横切る（位置Ｐ１８，１９参照）。固定糸９は、このような織り込みパターンを繰り返しながらＸ線造影糸７及びＸ線造影糸７の両側に隣接する経糸３Ｃ又は３Ｄと共に織込まれている。
【００２６】
このように、固定糸９は、Ｘ線造影糸７に対して、その裏側のみを通って交差する（位置Ｐ１１，Ｐ１４，Ｐ１８参照）。また、固定糸９は、Ｘ線造影糸７の表側を横切る緯糸５Ａとは、Ｘ線造影糸７の左右方向の一側においてのみ交差し（位置Ｐ１３参照）、Ｘ線造影糸７の裏側を横切る緯糸５Ｂとは、Ｘ線造影糸７の左右方向他側においてのみ交差する（位置Ｐ１７参照）。そして、Ｘ線造影糸７の左右方向一側において、緯糸５Ａの裏側を横切る固定糸９（位置Ｐ１３参照）は、その両側が隣接する経糸３Ｃの表側を横切ることにより、緯糸５Ａに引掛り保持されている。また、Ｘ線造影糸７の左右方向他側において、緯糸５Ｂの表側を横切る固定糸９（位置Ｐ１７参照）は、その両側が隣接する経糸３Ｄの裏側を横切ることにより、緯糸５Ｂに引掛り保持されている。固定糸９は、このような織り込みパターンを繰り返しながらＸ線造影糸７及びＸ線造影糸７の両側に配置された経糸３Ｃ又は３Ｄと共に織込まれている。これにより、第３実施形態に係る医療用ガーゼ３０は、上記第１実施形態と同様の作用効果を奏することができる。
【００２７】
なお、上記第３実施形態において、Ｘ線造影糸７の一側又は他側に隣接する経糸３Ｃ又は３Ｄは、３本以上でもよく、奇数本であればよい。
【００２８】
また、図１及び図２に示す第１実施形態において、Ｘ線造影糸７と、経糸３Ｂとを置き換えた場合、固定糸９の織り込みパターンは、図１及び図２に示す医療用ガーゼ１を裏返えしたものと同様になる。
【００２９】
また、上記第１乃至第３実施形態において、Ｘ線造影糸７及び固定糸９は、ガーゼ本体６の一ヶ所のみに織り込まれているが、２ケ所以上に織り込んでもよく、その数及び配置は、任意である。
【００３０】
更に、上記第１及び第２実施形態において、Ｘ線造影糸７を固定する固定糸９は、複数本を束ねたものでよい。
【符号の説明】
【００３１】
１，２０…医療用ガーゼ、３，３Ａ，３Ｂ…経糸、５，５Ａ，５Ｂ…緯糸、６…ガーゼ本体、７…Ｘ線造影糸、９…固定糸
【図１】
2016104085.tif 000003
【図２】
2016104085.tif 000004
【図３】
2016104085.tif 000005
【図４】
2016104085.tif 000006